(57)【要約】【課題】認証装置が備えられたＭＦＰでもＭＦＰの迅速な動作を担保しつつ、省エネを実現できる画像形成装置、画像形成方法、及び画像形成プログラムを提供する。【解決手段】１つ以上の機能を選択的に作動させる画像形成装置であって、利用者からのジョブの実行要求を検知する検知手段と、前記検知手段によって検知された前記ジョブがユーザ認証を必要とするか否かを判断するユーザ認証要否判断手段と、当該画像形成装置の利用者を感知する利用者感知手段と、前記検知手段が検知した前記ジョブの実行にユーザ認証が必要と判断された場合、前記利用者感知手段が利用者を感知してから前記ジョブの実行に必要な機能を作動させる制御手段とを有する。【選択図】図３
2015205399.tif 000002
【特許請求の範囲】
【請求項１】
１つ以上の機能を選択的に作動させる画像形成装置であって、
利用者からのジョブの実行要求を検知する検知手段と、
前記検知手段によって検知された前記ジョブがユーザ認証を必要とするか否かを判断するユーザ認証要否判断手段と、
当該画像形成装置の利用者を感知する利用者感知手段と、
前記検知手段が検知した前記ジョブの実行にユーザ認証が必要と判断された場合、前記利用者感知手段が利用者を感知してから前記ジョブの実行に必要な機能を作動させる制御手段と
を有することを特徴とした画像形成装置。
【請求項２】
請求項１に記載の画像形成装置において、
前記制御手段は、
前記検知手段が利用者からのジョブを検知していない状態で、前記利用者感知手段が利用者を感知した場合、操作機能を作動させることを特徴とした画像形成装置。
【請求項３】
請求項１または２記載の画像形成装置において、
前記利用者を撮像した画像から利用者を認証する認証手段を有することを特徴とした画像形成装置。
【請求項４】
１つ以上の機能を選択的に作動させる画像形成方法であって、
利用者からのジョブの実行要求を検知するステップと、
検知された前記ジョブがユーザ認証を必要とするか否かを判断するステップと、
画像形成装置の利用者を感知するステップと、
検知された前記ジョブの実行にユーザ認証が必要と判断された場合、前記利用者を感知してから前記ジョブの実行に必要な機能を作動させるステップと
を有することを特徴とした画像形成方法。
【請求項５】
１つ以上の機能を選択的に作動させる画像形成プログラムであって、
コンピュータに、
利用者からのジョブの実行要求を検知する手順、
検知された前記ジョブがユーザ認証を必要とするか否かを判断する手順、
画像形成装置の利用者を感知する手順、
検知された前記ジョブの実行にユーザ認証が必要と判断された場合、前記利用者を感知してから前記ジョブの実行に必要な機能を作動させる手順
を実行させるための画像形成プログラム。
【発明の詳細な説明】
【技術分野】
【０００１】
本発明は、画像形成装置、画像形成方法、及び画像形成プログラムに関する。
【背景技術】
【０００２】
近年、画像形成装置の省電力化が求められ、一定時間稼働していない場合、一部の機能の電源をオフした省エネ状態へ遷移する画像形成装置が存在する。
【０００３】
省エネ状態へ遷移可能な画像形成装置において、省エネ状態からの復帰時、画像形成装置の搭載される機能の起動順序があらかじめ設定されているため、ユーザの要求する機能が動作可能になるまで待ち時間が生じる。また、不必要な機能も起動することがあるため、消費電力が増加するという問題があった。これを回避するための技術として、画像形成装置が、ユーザの要求する機能によって、省エネ状態からの復帰手順を変更する技術が既に知られている。
【０００４】
例えば、ユーザが画像形成装置を直接操作したか否かを判断し、判断結果に応じて起動させる機能とその起動順序とを変更する技術が既に知られている（例えば、特許文献１等を参照）。
【発明の概要】
【発明が解決しようとする課題】
【０００５】
上記従来技術は、要求されたジョブに応じて機能を選択的に起動させることで消費電力を節約し、画像形成装置を迅速に動作させることができる。しかしながら、画像形成装置に認証装置が備えられている場合、従来技術では認証開始から認証完了までの処理時間が考慮されていなかった。この場合、認証開始から画像形成装置などの機能を起動させると、無駄な電力を消費してしまうという問題があった。また、認証完了後に、機能を起動させると、ユーザに待ち時間が生じ、画像形成装置を迅速に動作させることができないという問題もあった。
【０００６】
本発明は、このような従来の問題点に鑑み提案されたものであり、その目的とするところは、認証装置が備えられていても画像形成装置の迅速な動作を担保しつつ、省エネを実現できる画像形成装置、画像形成方法、及び画像形成プログラムを提供することにある。
【課題を解決するための手段】
【０００７】
上記の課題を解決するため、例えば、１つ以上の機能を選択的に作動させる画像形成装置であって、利用者からのジョブの実行要求を検知する検知手段と、前記検知手段によって検知された前記ジョブがユーザ認証を必要とするか否かを判断するユーザ認証要否判断手段と、当該画像形成装置の利用者を感知する利用者感知手段と、前記検知手段が検知した前記ジョブの実行にユーザ認証が必要と判断された場合、前記利用者感知手段が利用者を感知してから前記ジョブの実行に必要な機能を作動させる制御手段とを有する。
【発明の効果】
【０００８】
本実施形態にあっては、認証装置が備えられていても画像形成装置の迅速な動作を担保しつつ、消費電力を抑えることができる。
【図面の簡単な説明】
【０００９】
【図１】本実施形態におけるシステム構成の一例を示す図である。
【図２】本実施形態におけるＭＦＰのハードウエア構成の一例を示す図である。
【図３】本実施形態におけるＭＦＰの機能構成の一例を示す図である。
【図４】本実施形態におけるユーザ認証の要否の判断時に用いる情報のデータ構成の一例を示す図である。
【図５】本実施形態におけるユーザデータのデータ構成の一例を示す図である。
【図６】本実施形態におけるＭＦＰの状態遷移の一例を示す図である。
【図７】本実施形態におけるＭＦＰがジョブを実行するまでの処理手順の一例を示すフローチャートである。
【図８】本実施形態におけるユーザ認証が失敗した場合に表示する画面表示の一例を示す図である。
【図９】本変形例におけるＭＦＰのハードウエア構成の一例を示す図である。
【図１０】本変形例におけるＭＦＰの機能構成の一例を示す図である。
【図１１】本変形例におけるユーザデータのデータ構成の一例を示す図である。
【図１２】本変形例における撮像装置を用いてユーザ認証を行う処理手順の一例を示すフローチャートである。
【発明を実施するための形態】
【００１０】
以下、本発明の好適な実施形態について説明する。
【００１１】
＜システム構成＞
図１は本実施形態におけるシステムの構成の一例を示す図である。本実施形態におけるシステムは、ＭＦＰ(MultiFunction Peripheral)１とクライアント端末２ａ、２ｂ、２ｃ・・・（それぞれ区別しない場合、クライアント端末２）がネットワーク３を介して接続される。
【００１２】
ＭＦＰ１は、画像形成機能、通信機能などを備えることにより、プリンタ、ファクシミリ（ＦＡＸ）、スキャナ、複写機として利用可能である。本実施形態におけるＭＦＰ１はユーザから操作を受け付ける。あるいは、ネットワーク３を介して接続されるクライアント端末２から受信した印刷などの機能の実行要求を受け付け動作する。
【００１３】
クライアント端末２は、ユーザによって操作される情報処理装置であり、例えば、ＰＣ（Personal Computer）、タブレットＰＣ、スマートフォンである。クライアント端末２はネットワーク３を介して接続されるＭＦＰ１に印刷要求などを送信することができる。
【００１４】
ネットワーク３は、例えばイーサネット（登録商標）やインターネットなどである。
【００１５】
＜ハードウエア構成＞
図２は本実施形態におけるＭＦＰ１のハードウエア構成の一例を示す図である。
【００１６】
ＭＦＰ１はコントローラ１０１、操作装置１１４、ＦＡＸ１１９、補助記憶装置１２０、画像読取装置１２１、画像形成装置１２２、及び認証装置１２３を備える。
【００１７】
コントローラ１０１は、ＭＦＰ１のプリントやスキャンなどの機能を制御するために用いられ、メモリ装置１０２、メインＣＰＵ１０４、サブＣＰＵ１０６、ネットワークアダプタ１０７、及び補助メモリ装置１０８などを含む。
【００１８】
メモリ装置１０２はメインＣＰＵ１０４からの要求にしたがってプログラムを呼び出し、メモリ装置１０２に格納する。メモリ装置１０２は、例えば、ＲＡＭ（Random Access Memory）などによって構成される。
【００１９】
メインＣＰＵ回路１０３はメインＣＰＵ１０４を含む回路である。
【００２０】
メインＣＰＵ１０４は、メモリ装置１０２に格納されたプログラムにしたがって、コントローラ１０１が備える各種機能を実行するために用いられる。
【００２１】
サブＣＰＵ回路１０５はサブＣＰＵ１０６、ネットワークアダプタ１０７、補助メモリ装置１０８を含む回路である。
【００２２】
サブＣＰＵ１０６は省エネモード時において、補助メモリ装置１０８に格納されたプログラムにしたがって動作する。サブＣＰＵ１０６は、ネットワークアダプタ１０７を介して受信されるクライアント端末２からの実行要求の検知や人感センサ１１３によるユーザの検知など省エネモード時の機能を実行するために用いることができる。また、サブＣＰＵ１０６はメインＣＰＵ１０４がオフの時、通信の応答やタイマーの計時などを行うことができる。
【００２３】
ネットワークアダプタ１０７はネットワーク３に接続され、他の装置との通信を制御するために用いられる。
【００２４】
補助メモリ装置１０８はサブＣＰＵ１０６からの要求にしたがって、プログラムを格納するために用いられる。補助メモリ装置１０８は、例えば、ＲＡＭなどである。
【００２５】
エコスイッチ１０９はＭＦＰ１を手動で省エネモードへ移行させ、通常モードへの復帰を切り替えたりするために用いられる。
【００２６】
主電源スイッチ１１０はＭＦＰ１の全体への電力供給のオン・オフの切り替えを行うために用いることができる。主電源スイッチ１１０はＭＦＰ１が省エネモードの時でも、スイッチをオフにし、電力供給を停止させることができる。
【００２７】
ＡＣ／ＤＣ電源１１１はコンセントからＭＦＰ１へ入力される交流電流を、ＭＦＰ１に適した直流電流へ変換するために用いられる。
【００２８】
集中電源スイッチ１１２はサブＣＰＵ１０６の指示にしたがって、各装置への電力供給を制御するために用いられる。
【００２９】
人感センサ１１３はＭＦＰ１の操作装置１１４を操作できる位置にいるユーザを検知するために用いられる。人感センサ１１３は、例えば、赤外線や超音波などによってユーザの検知を行う。
【００３０】
操作装置１１４は操作装置用ＣＰＵ１１５、操作装置用メモリ１１６、表示装置１１７、入力装置１１８を有し、ＭＦＰ１の操作を行うために用いられる。
【００３１】
操作装置用ＣＰＵ１１５は操作装置用メモリにしたがって、操作装置１１４が備える機能を実行するために用いられる。
【００３２】
操作装置用メモリ１１６は操作装置用ＣＰＵ１１５を動作させるプログラムを操作装置用メモリ１１６に格納するために用いられる。
【００３３】
表示装置１１７は、例えば、ＭＦＰ１に関する各種情報を表示するために用いられる。表示装置１１７は、例えば、液晶や有機ＥＬなどのディスプレイである。
【００３４】
入力装置１１８は、例えば、ＭＦＰ１に各種信号を入力するために用いられる。入力装置１１８は、例えば、タッチパネルやハードスイッチである。
【００３５】
ＦＡＸ１１９は電話回線などを介して画像情報の送受信を行うために用いられる。なお、ＦＡＸ１１９は画像情報の受信を常時監視するため、省エネモードであっても電源が供給されることが望ましい。
【００３６】
補助記憶装置１２０は、ＭＦＰ１で取り扱われる受信文書データや読み取り画像データ等の各種データを格納するために用いられ、ＨＤＤ（Hard Disk Drive）、ＳＳＤ（Solid State Drive）から構成される。また、補助記憶装置１２０は、これらの各種データを、所定のファイルシステムやＤＢ（Data Base）により管理している。
【００３７】
画像読取装置１２１は読み取り面に配置された原稿を光学的に読み取り、画像データを生成する。
【００３８】
画像形成装置１２２は、例えば、コントローラ１０１の指示にしたがって電子写真プロセス方式によってイメージを記録紙に印刷する。
【００３９】
認証装置１２３はユーザの認証を行うために用いられる。ユーザの認証は、例えば、ユーザデータが保持されたＩＣカードを認証装置１２３にユーザがかざすことで、認証装置１２３がユーザデータを読み取る。読み取られたユーザデータにしたがってユーザ認証が行われる。
【００４０】
＜機能構成＞
図３は本実施形態におけるＭＦＰ１の機能構成の一例を示す図である。ＭＦＰ１は検知部１１、ユーザ検知部１２、ユーザ認証要否判断部１３、機能制御部１４、ユーザ認証部１５、及びユーザデータ記憶部１６などを有する。各機能部は、メモリのプログラムをＣＰＵが実行することにより実現される。
【００４１】
検知部１１は省エネモードからの復帰要因となるジョブの実行要求を検知する機能部である。検知部１１が検知するジョブの実行要求には、ネットワーク３を介して接続されるクライアント端末２からの印刷要求、ＦＡＸの受信要求、ユーザによるＭＦＰ１の本体操作などがある。
【００４２】
ユーザ検知部１２は人感センサ１１３によって、ＭＦＰ１を操作できる位置にいるユーザを検知する機能部である。ユーザ検知部１２は、ユーザを検知すると、機能制御部１４にユーザを検知したことを通知すると共に、動作状態を省エネモードから機能を実行可能な動作状態に遷移させるよう機能制御部１４に要求する。本実施形態においては、ユーザ検知部１２は省エネモードでも作動している。
【００４３】
ユーザ認証要否判断部１３は、検知部１１によって検知されたジョブの実行に、ユーザ認証が必要か否かを判断する。ユーザ認証が必要か否かの判断は、図４に示すように、機能ごとにユーザ認証が必要か否かを示す情報にしたがって行われる。図４で、モノクロ印刷は機能の実行に際してユーザ認証の不要な機能であり、カラー印刷は機能の実行に際してユーザ認証の必要な機能であることを示している。ユーザ認証が必要か否かを示す情報は、補助メモリ装置１０８などに保持される。また、ユーザ認証要否判断部１３は、認証装置１２３がＭＦＰ１に設置されているか否かの判断を行ってもよい。認証装置１２３がＭＦＰ１に設置されているか否かの判断は、ＭＦＰ１の主電源がオンとなったタイミングなど所定のタイミングで行われる。ユーザ認証要否判断部１３が認証装置１２３が設置されていないと判断した場合、ユーザ認証要否判断部１３は機能制御部１４に対して、ユーザ認証が不要と判断した場合と同様の処理を実行するよう指示する。
【００４４】
機能制御部１４は、ＭＦＰ１が備える機能を制御する機能部である。機能制御部１４は、ユーザ認証要否判断部１３の判断結果にしたがって起動させる機能及び機能ごとの起動のタイミングを設定する。具体的には、ユーザ認証が必要と判断されたジョブに対して、機能制御部１４は、初めに認証装置１２３及び操作装置１１５を起動させ、その後、ユーザ検知部１２によってユーザが検知されたタイミングで画像形成装置１２２などジョブの実行に必要な機能を起動させる。また、ユーザ認証が必要ないと判断されたジョブに対して、機能制御部１４は、ユーザ認証要否判断部１３からユーザ認証が必要ないことを通知後、操作装置１１５及びジョブの実行に必要な機能を起動させる。
【００４５】
また、機能制御部１４は、検知部１１がジョブの実行要求を検知していない状態で、ユーザ検知部１２がユーザを検知した場合、ＭＦＰ１を省エネモードから復帰させる。その後、機能制御部１４は、操作装置１１４及び認証装置１２３などを作動させ、ユーザがＭＦＰ１を操作可能な状態にする。
【００４６】
ユーザ認証部１５は、ユーザ認証を行う機能部である。ユーザ認証部１５はユーザ認証要否判断部１３にて、ユーザ認証が必要と判断された場合、機能の実行要求を行ったユーザ又はＭＦＰ１を操作可能な位置にいるユーザの認証を行う。ユーザの認証は、ＭＦＰ１へ入力されたユーザデータとユーザデータ記憶部１６に保存されているユーザデータとをユーザ認証部１５が照合することによって行う。ユーザデータの入力を入力装置１１８が受け付けてもよい。また、ユーザデータが記憶されたＩＣカードを認証装置１２３にユーザがかざすことによって、ユーザ認証部１３はユーザデータを受け付けてもよい。また、ユーザ認証要否判断部１３は、ユーザ認証結果を、表示装置１１７などに表示させることができる。また、ユーザ認証部１５は、ユーザ認証要否判断部１３で認証装置１２３が設置されていないと判断された場合、ユーザ認証部１５はユーザ認証を行わない。
【００４７】
ユーザデータ記憶部１６はユーザ認証時に用いるユーザデータを保存する機能部である。ユーザデータ記憶部１６が記憶するユーザデータはリスト形式に限定せず、ファイル形式であってもよい。
【００４８】
図５はユーザデータ記憶部１６に記憶されるユーザデータのデータ構成の一例を示す図である。ユーザデータは、ユーザ名、機能実行可否などの情報を有する。
【００４９】
ユーザ名は、ユーザごとに一意に設定されたユーザの識別情報である。ユーザ名は、一意であればよく、数字、文字、記号、またはそれらを組み合わせたものであってもよい。
【００５０】
機能実行可否は、ＭＦＰ１が備える機能のユーザごとの実行可否を示す情報である。図５において、ユーザＡは、モノクロ印刷及びスキャンを利用可能であるが、カラー印刷、ＦＡＸを使用する権限がないことを示している。
【００５１】
なお、ユーザ認証部１５及びユーザデータ記憶部１６は、ネットワーク３を介して接続されるサーバなどの装置が備えてもよい。その場合、ＭＦＰ１はユーザからユーザデータの入力を受け付け、ユーザ認証部１５及びユーザデータ記憶部１６を有する装置に対してユーザの認証の要求を行う。
【００５２】
以上の機能をＭＦＰ１が有することで、検知部１１が検知したジョブがユーザ認証を要するか否かをユーザ認証要否判断部１３が判断し、判断結果に応じて機能の起動を機能制御部１４が制御できる。つまり、本実施形態におけるＭＦＰ１では、ユーザ認証の認証完了までの時間を考慮し、機能の起動を制御することができる。これにより、ＭＦＰ１の迅速な動作を担保しつつ、省エネを実現することができる。
【００５３】
＜処理動作＞
図６は本実施形態におけるＭＦＰの状態遷移の一例を示す図である。ＭＦＰ１は省エネモードの状態の他に、実行する機能に応じた複数の状態を有する。ＭＦＰ１は実行するジョブの種類によって、適応した状態に遷移し、ジョブを実行する。ＭＦＰ１はシャットダウンモード、省エネモード、ウエルカムモード、ＦＡＸ送信／スキャンモード、コピーモード、プリント／ＦＡＸプリントモード、ＦＡＸ受信モードなどの状態を有する。
【００５４】
シャットダウンモードはＭＦＰ１の主電源スイッチ１１０がオフとなり、ＭＦＰ１のすべての機能が停止している状態である。
【００５５】
ステップＳ１で、ＭＦＰ１の主電源スイッチ１１０がオンされると、ＭＦＰ１が起動し、省エネモードへ遷移する。省エネモードは、ＭＦＰ１の機能を制限した低い消費電力状態である。省エネモードは、例えば、操作装置１１４、補助記憶装置１２０、画像読取装置１２１、画像形成装置１２２、及びメインＣＰＵ１０４などの機能がオフとなった状態である。
【００５６】
ステップＳ２で、主電源スイッチ１１０がオフされると、ＭＦＰ１は省エネモードからシャットダウンモードへ遷移する。
【００５７】
ステップＳ３で、ＦＡＸ受信の要求をネットワークアダプタ１０７を介して受信すると、ＦＡＸ受信モードへ遷移する。ＦＡＸ受信モードでは、ＦＡＸ１１９が起動し、ＦＡＸ受信が可能な状態である。
【００５８】
ステップＳ４で、ＦＡＸの受信を完了すると、ＭＦＰ１は省エネモードへ遷移する。
【００５９】
ステップＳ５で、ＭＦＰ１は、ユーザ認証が不要な印刷要求、又はＦＡＸ印刷要求を受信し、プリンタ／ＦＡＸプリントモードへ遷移する。プリンタ／ＦＡＸプリントモードでは、印刷要求、ＦＡＸ印刷要求に応じて画像形成装置１２２が起動され、印刷処理を実行する状態である。
【００６０】
ステップＳ６で、印刷処理が完了後、ＭＦＰ１は省エネモードへ遷移する。
【００６１】
ステップＳ７で、ＭＦＰ１は、人感センサ１１３がＭＦＰ１にユーザが近づいてきたことを検知した場合、又はネットワークアダプタ１０７を介してユーザ認証を要する機能の実行要求を受信した場合、ウエルカムモードへ遷移する。ウエルカムモードは、操作装置１１４や認証装置１２３が起動し、ユーザによる操作及びユーザ認証が実行可能な状態である。ＭＦＰ１は、ウエルカムモードにて、ユーザから操作を受け付け及びユーザ認証を行い、それぞれの動作モードへ遷移することができる。また、ユーザ認証が必要なジョブが検知されることによって、省エネモードからウエルカムモードへ遷移した場合、ウエルカムモードは、人感センサ１１３がユーザを検知すると、ジョブの実行に必要な機能を作動させる。
【００６２】
ステップＳ８で、ＭＦＰ１は、一定時間、ユーザからの操作がない場合、もしくは機能が実行されない場合、省エネモードへ遷移する。
【００６３】
ステップＳ９で、ＭＦＰ１は、省エネモードにて、ユーザ認証が必要な印刷要求、ＦＡＸ印刷要求を受信し、ウエルカムモードにて、ユーザ認証を完了後、プリンタ／ＦＡＸプリンタモードへ遷移する。印刷処理の完了後、状態は省エネモードへ遷移する。
【００６４】
ステップＳ１０で、ＭＦＰ１はウエルカムモードでユーザ認証を完了後、ユーザからコピー実行の操作を受け付けると、コピーモードへ遷移する。また、ウエルカムモードがオフの場合、省エネモードから直接コピーモードへ遷移可能である。コピーモードは、画像読取装置１２１及び画像形成装置１２２が起動され、コピーが実行可能な状態である。
【００６５】
ステップＳ１１で、コピー完了後、ＭＦＰ１はウエルカムモードへ遷移する。
【００６６】
ステップＳ１２で、ＭＦＰ１はウエルカムモードでユーザ認証を完了後、ユーザからスキャン実行の操作、もしくはＦＡＸ送信の操作を受け付けると、スキャン／ＦＡＸ送信モードへ遷移する。また、ウエルカムモードがオフの場合、状態は省エネモードから直接スキャン／ＦＡＸ送信モードへの遷移が可能である。スキャン／ＦＡＸ送信モードでは、画像読取装置１２１が起動され、書類などのスキャン及びＦＡＸ送信が可能な状態である。
【００６７】
ステップＳ１３で、ＦＡＸ送信モードへ遷移する。スキャン、ＦＡＸ送信が完了後、状態はウエルカムモードへ遷移する。
【００６８】
以上のように実行する機能ごとに異なる複数の状態を有することにより、ユーザから要求された機能が起動され、要求された処理を実行することができる。これにより、ＭＦＰ１の消費電力が抑えられる。
【００６９】
図７は本実施形態に係る省エネ状態からの復帰に関する処理手順の一例を示す図である。ステップＳ２０で、ＭＦＰ１が省エネモードへ遷移した状態で当該処理手順が実行される。
【００７０】
ステップＳ２１で、検知部１１がジョブの実行要求を検知する。ジョブの実行要求はユーザからのジョブの実行要求に限定せず、ＦＡＸ受信などユーザ以外からのジョブの実行要求であってもよい。また、ジョブの実行要求を検知すると、機能制御部１４は操作装置１１４などを起動させる。
【００７１】
ステップＳ２２で、ユーザ認証要否判断部１３は、要求されたジョブの実行にあたって、ユーザ認証が必要か否かを判断する。判断結果がＹＥＳの場合、つまりジョブの実行に際してユーザ認証が必要となる場合、ステップＳ２３に進む。判断結果がＮＯの場合、つまり、ジョブの実行に際してユーザ認証が不要となる場合、ステップＳ２８に進む。なお、ＭＦＰ１に認証装置が設置されていないと判断された場合、ユーザ認証要否の判断は行われない。
【００７２】
ステップＳ２３で、機能制御部１４は状態を省エネモードからウエルカムモードへ遷移し、ユーザ検知部１２がユーザを感知するまで待機する。
【００７３】
ステップＳ２４で、ユーザがＭＦＰ１を操作可能な位置まで近づいたか否かを判定する。判定結果がＹＥＳの場合、つまり、ユーザがＭＦＰ１を操作可能な位置まで近づいたことを検知した場合、ステップＳ２５に進む。判定結果がＮＯの場合、つまり、ユーザがＭＦＰ１を操作可能な位置まで近づいたことを検知できない場合、ステップＳ２３に戻る。
【００７４】
ステップＳ２５で、機能制御部１４は要求されたジョブの実行に必要な機能の作動を開始させる。
【００７５】
ステップＳ２６で、ジョブの実行に必要な機能の起動処理を開始後、ユーザ認証部１５は、ユーザ認証を開始する。この時、起動完了までに時間を要する機能の場合、認証処理と機能の起動処理とは並列で行われる。また、ユーザ認証部１５で実行される認証は、ユーザから入力されたユーザデータに基づいて行われる。
【００７６】
ステップＳ２７で、ユーザ認証部１５はユーザ認証が成功したか否かを判定する。判定結果がＹＥＳの場合、つまり、ユーザ認証に成功した場合、ステップＳ２８へ進む。判定結果がＮＯの場合、つまり、ユーザ認証に失敗した場合、ステップＳ２９へ進む。
【００７７】
ステップＳ２８で、機能制御部１４はジョブの実行に必要な起動を作動させ、要求されたジョブを実行する。その後、ステップ３０へ進み、当該処理は終了する。
【００７８】
ステップＳ２９で、ユーザ認証部１５は、例えば、表示装置１１７にてユーザ認証に失敗したことをユーザに通知する。図８は本実施形態におけるユーザ認証失敗時に表示する画面表示の一例を示す図である。ユーザ認証部１５は、図８に示すように、警告画面を表示させる。その後、ステップＳ３０へ進み、当該処理は終了する。
【００７９】
なお、検知部１１がジョブの実行要求を検知していない状態で、ユーザ検知部１２がユーザを検知した場合、操作装置１１４及び認証装置１２３などのＭＦＰ１を操作可能な装置を優先的に起動させ、ユーザが操作可能な状態にする。
【００８０】
ここからは、上記実施形態の変形例について説明する。
【００８１】
図９は本変形例におけるＭＦＰ１のハードウエア構成の一例を示す図である。図９では、撮像装置１２４が図２に示したハードウエアの構成に追加されている。
【００８２】
撮像装置１２４は、ＭＦＰ１の前に来たユーザを撮像するために用いられ、例えばカメラユニットなどである。このようなＭＦＰ１のハードウエア構成では、機能構成は次のようになる。
【００８３】
図１０は本変形例におけるＭＦＰ１の機能構成の一例を示す図である。図１０では、撮像部１７が、図３に示したＭＦＰ１の機能構成から追加されている。
【００８４】
撮像部１７は、ユーザ検知部１２にてユーザを検知した場合、撮像部１７はＭＦＰ１を操作可能な位置にいるユーザを撮影し、画像データを作成する。撮影部１７は、作成した画像データをユーザ認証部１５に送信する。図１１に示すユーザデータがユーザデータ記憶部１６に記憶される。ユーザ認証部１５は、ユーザデータ記憶部１６に保存されている「ユーザＡ.ｊｐｇ」などのユーザ画像と撮像部１７によって撮像された画像データとを照合し、ユーザ認証を行う。ユーザ認証が完了後、機能制御部１４は、認証されたユーザが実行可能な機能を起動させ、操作画面を表示させる。
【００８５】
図１２は本変形例における撮像装置１２４を用いてユーザ認証を行う処理手順の一例を示すフローチャートである。
【００８６】
ＭＦＰ１が省エネモードの状態で当該処理を開始する。
【００８７】
ステップＳ４０で、ユーザ検知部１２がユーザを検知する。
【００８８】
ステップＳ４１で、撮像装置１２４が起動し、撮像部１７がＭＦＰ１の前にいるユーザを撮像し、画像データを作成する。
【００８９】
ステップＳ４２で、ユーザ認証部１５が、画像データに基づいて、ユーザ認証を実行する。
【００９０】
ステップＳ４３で、ユーザ認証が成功したか否かを判断する。判断結果がＹＥＳの場合、つまりユーザ認証に成功した場合、Ｓ４４に進む。判断結果がＮＯの場合、つまりユーザ認証に失敗した場合、Ｓ４５に進む。
【００９１】
ステップＳ４４で、機能制御部１４はユーザデータ記憶部１６に保持されているユーザデータにしたがって、ユーザが利用可能な機能、及び操作画面を起動させる。この時、操作画面にはユーザ専用の操作画面を表示してもよい。操作画面を起動後、ステップＳ４６へ進み、当該処理を終了する。
【００９２】
ステップＳ４５で、ユーザ認証部１５は認証に失敗したことを表示装置１１７に出力する。出力する画面は図８と同一の画面を表示させてもよい。ユーザ認証の失敗画面を表示後、ステップＳ４６へ進み、当該処理を終了する。
【００９３】
なお、上述の実施例の全部又は一部はプログラムによって実装され得る。このプログラムは、可搬記録媒体に格納することができる。可搬記録媒体とは、非一時的（ｎｏｎ−ｔｒａｎｓｉｔｏｒｙ）な記憶媒体を言う。可搬記録媒体の例としては、磁気記録媒体、光ディスク、光磁気記録媒体、不揮発性メモリなどがある。可搬型記録媒体に格納されたプログラムが読み出され、プロセッサーによって実行されることにより、本発明の実施例の全部又は一部が実施され得る。
【００９４】
＜総括＞
以上、本発明の好適な実施の形態にて説明した形態は、本発明の範囲を限定するものではなく、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００９５】
１      ＭＦＰ
１１    検知部
１２    ユーザ検知部
１３    ユーザ認証要否判断部
１４    機能制御部
１５    ユーザ認証部
１６    ユーザデータ記憶部
１７    撮像部
１０１  コントローラ
１０２  メモリ装置
１０３  メインＣＰＵ回路
１０４  メインＣＰＵ
１０５  サブＣＰＵ回路
１０６  サブＣＰＵ
１０７  ネットワークアダプタ
１０８  補助メモリ装置
１０９  エコスイッチ
１１０  主電源スイッチ
１１１  ＡＣ／ＤＣ電源
１１２  集中電源スイッチ
１１３  人感センサ
１１４  操作装置
１１５  操作装置用ＣＰＵ
１１６  操作装置用メモリ
１１７  表示装置
１１８  入力装置
１１９  ＦＡＸ
１２０  補助記憶装置
１２１  画像読取装置
１２２  画像形成装置
１２３  認証装置
１２４  撮像装置
２      クライアント端末
３      ネットワーク
【先行技術文献】
【特許文献】
【００９６】
【特許文献１】特開２０１３―３４０７２号公報
【図１】
2015205399.tif 000003
【図２】
2015205399.tif 000004
【図３】
2015205399.tif 000005
【図４】
2015205399.tif 000006
【図５】
2015205399.tif 000007
【図６】
2015205399.tif 000008
【図７】
2015205399.tif 000009
【図８】
2015205399.tif 000010
【図９】
2015205399.tif 000011
【図１０】
2015205399.tif 000012
【図１１】
2015205399.tif 000013
【図１２】
2015205399.tif 000014